(57)【要約】【課題】安価に多量生産しながら、ミョウガを綺麗に並べて収納する。【解決手段】  四角形の底プレート１の周囲に外周壁２を設けている上方開口の包装容器は、外周壁２をミョウガＭの両端部に配置される端部外周壁２１と、収納されるミョウガＭの側部に配置される両側外周壁２２とを四角形に連結しており、底プレート１には、上方開口部に向かって突出する複数の位置決め凸部３を設けて、この位置決め凸部３を平行な姿勢に並べて収納されるミョウガＭの間であって、ミョウガ両端部の先細り状部分に配置して、位置決め凸部３をミョウガ両端部の先細り状部分にできるテーパー状隙間６に配置して、ミョウガＭを定位置に配置する。【選択図】図１
2015078011.tif 000002
【特許請求の範囲】
【請求項１】
四角形である底プレート(1)の周囲に外周壁(2)を設けてなる上方開口の包装容器であって、
前記外周壁(2)は収納されるミョウガ(M)の両端部に配置される端部外周壁(21)と、収納されるミョウガの側部に配置される両側外周壁(22)とを四角形に連結する形状としており、
前記底プレート(1)は、上方開口部に向かって突出する複数の位置決め凸部(3)を設けており、
前記位置決め凸部(3)は、前記底プレートの上に互いに平行な姿勢で複数列に並べて収納されるミョウガ(M)の間であって、ミョウガ両端部の先細り状部分に配置されて、
前記位置決め凸部(3)がミョウガ両端部の先細り状部分にできるテーパー状隙間(6)に配置されて、ミョウガを定位置に配置するようにしてなるミョウガの包装容器。
【請求項２】
前記底プレート(1)が四角形であって、前記底プレート(1)に４個の位置決め凸部(3)が設けられ、前記底プレート(3)がミョウガ(M)を３列に収納する横幅で、前記位置決め凸部(3)が中央に配置されるミョウガ両端部の先細り状部分の両側に配置されてなる請求項１に記載されるミョウガの包装容器。
【請求項３】
熱可塑性樹脂からなるプラスチックシートを真空成形してなる請求項１又は２に記載されるミョウガの包装容器。
【請求項４】
前記位置決め凸部(3)が、上端に向かって細くなる山形である請求項１又は２に記載されるミョウガの包装容器。
【発明の詳細な説明】
【技術分野】
【０００１】
本発明はミョウガの包装容器に関し、とくにミョウガを複数列に並べて収納する包装容器に関する。
【背景技術】
【０００２】
ミョウガやイチゴなどの青果物は、包装容器に綺麗に並べて収納して販売することで、消費者に至るまでの損傷を少なくできる。青果物が局部的に押圧されて損傷されるのを防止できるからである。このことを実現するために、包装容器の底プレートに青果物を案内する凹部を設けている包装容器が開発されている。（特許文献１参照）
【先行技術文献】
【特許文献】
【０００３】
【特許文献１】特開２０１０−１６８０８３号公報
【発明の概要】
【発明が解決しようとする課題】
【０００４】
イチゴ等の青果物を案内する複数の凹部を底プレートに設けた包装容器は、各々の凹部にイチゴなどの青果物を案内して収納して、隣のイチゴが互いに押圧されない状態で綺麗に並べることができる。この包装容器は、凹部の形状を、収納するイチゴに沿う形状に成形する必要があるので、収納するイチゴの大きさや形状によって複数種の包装容器を用意する必要がある。このことは、包装容器の製作コストを高くする原因となり、同じ形状の包装容器を安価に多量生産できない欠点がある。また、凹部の形状が収納するイチゴに合わないと、イチゴが飛び出し、あるいは位置ずれする状態で収納されて、定位置に正確に配置できなくなる欠点もある。
【０００５】
イチゴの包装容器と同じように、底プレートに凹部を設けて、この凹部をミョウガの表面に沿う形状として、ミョウガを定位置に並べて収納できる。ただ、この包装容器は、イチゴの容器と同じように、各々の凹部をミョウガに沿う形状に成形するので、大きさや形状が異なるミョウガを包装するために、複数の容器を成形する必要があって、製造単価が高くなる欠点がある。また、ミョウガは、全体を先細り状で細長い形状のものであるが、全てが綺麗な直線状ではなく、多少曲がった形状のものがあるので、全てのミョウガを凹部に収納することができない欠点がある。
【０００６】
本発明は、さらに以上の欠点を解決することを目的に開発されたものである。本発明の重要な目的は、安価に多量生産しながら、ミョウガを綺麗に並べて収納できるミョウガの包装容器を提供することにある。
【課題を解決するための手段及び効果】
【０００７】
本発明のミョウガの包装容器は、四角形である底プレート１の周囲に外周壁２を設けてなる上方開口の箱形としている。外周壁２は収納されるミョウガの両端部に配置される端部外周壁２１と、収納されるミョウガの側部に配置される両側外周壁２２とを四角形に連結する形状としている。底プレート１は、上方開口部に向かって突出する複数の位置決め凸部３を設けている。位置決め凸部３は、底プレート１の上に互いに平行な姿勢で複数列に並べて収納されるミョウガＭの間であって、ミョウガ両端部の先細り状部分に配置される。位置決め凸部３がミョウガ両端部の先細り状部分にできるテーパー状隙間６に配置されてミョウガＭを定位置に配置する。
【０００８】
以上のミョウガの包装容器は、安価に多量生産しながら、直線状のミョウガのみでなく、多少曲がったミョウガをも容器の定位置に綺麗に並べて収納できる特徴がある。それは、以上の包装容器が、ミョウガを置決め凸部の間に配置し、あるいは位置決め凸部と側壁との間に配置するので、位置決め凸部でもってミョウガを直線状に保持するように並べて綺麗に収納できるからである。先端部を先細りテーパー状とするミョウガは、直線状のものはそのままの状態で、また多少曲がっているものは、先細り状の先端部を位置決め凸部で直線状に修正して収納される。先端部を先細りテーパー状とするミョウガは、先細り状部分の横に配置している位置決め凸部によって直線状に修正されやすい。したがって、以上の包装容器は、曲がったミョウガをも直線状に修正して、全てのミョウガを綺麗に直線状として平行に並べて収納できる特徴がある。また、先細り状部分の間に位置決め凸部を配置して、ミョウガを所定の間隔で複数列に並べて収納するので、ミョウガの中央部の太くなっている最大外径部の押し合いによる損傷をも少なくして収納できる。ミョウガを収納する状態で上方開口部をラップフィルムで被覆してミョウガは確実に包装される。
【０００９】
本発明のミョウガの包装容器は、底プレート１を長方形とし、底プレート１に４個の位置決め凸部３を設け、底プレート１の横幅をミョウガＭが３列に収納される幅として、位置決め凸部３を中央のミョウガ両端部の先細り状部分の両側に配置することができる。この包装容器は、中央のミョウガを４個の位置決め凸部で直線状に修正し、両側のミョウガは側壁と先細り状部分にある位置決め凸部とで直線状に修正して、綺麗に３列に並べて収納できる。
【００１０】
本発明のミョウガの包装容器は、熱可塑性樹脂からなるプラスチックシートを真空成形して製作することができる。この包装容器は、簡単かつ容易に、しかも安価に多量生産できる特徴がある。
【００１１】
本発明のミョウガの包装容器は、位置決め凸部３を上端に向かって細くなる山形とすることができる。この包装容器は、位置決め凸部３の間にスムーズにミョウガＭを収納しながら、位置決め凸部３でもって曲がったミョウガＭを直線状に修正しながら定位置に収納できる特徴がある。
【図面の簡単な説明】
【００１２】
【図１】本発明の実施例に係るミョウガの包装容器の平面図である。
【図２】図１に示すミョウガの包装容器のＡ−Ａ線断面図である。
【図３】図１に示すミョウガの包装容器のＢ−Ｂ線断面図である。
【図４】図１に示すミョウガの包装容器のＣ−Ｃ線断面図である。
【発明を実施するための最良の形態】
【００１３】
以下、本発明の実施例を図面に基づいて説明する。ただし、以下に示す実施例は、本発明の技術思想を具体化するためのミョウガの包装容器を例示するものであって、本発明はミョウガの包装容器を以下のものに特定しない。
【００１４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図１の平面図と図２〜図４の断面図とに示すミョウガの包装容器は、四角形の底プレート１の周囲に外周壁２を設けて上方開口の箱形としている。以上の包装容器は、熱可塑性樹脂のプラスチックシートを真空成形した後、外周を裁断して製作される。底プレート１は、ミョウガＭの密着を防止するために、複数列の凸条４を平行に設けている。凸条４は収納されるミョウガＭに直交する姿勢で設けている。図の包装容器は底プレート１を長方形として、ミョウガＭを長方形の長手方向、すなわち縦方向を向く姿勢で収納するので、凸条４を長方形の横方向に延びる姿勢で設けている。この包装容器は、ミョウガＭを凸条４の上に載せて並列に並べて収納できる。この包装容器は、ミョウガＭを底プレート１に密着させることなく底プレート１から離して収納するので、ミョウガＭの腐食を防止できる。また、複数列の凸条４は底プレート１を補強するので、底プレート１を薄くして強靭な構造にできる。図１の包装容器は、底プレート１を長方形として、ミョウガＭを３列に並べて収納する大きさに成形している。ただ、本発明の包装容器はミョウガＭを４列以上に並べて収納できる大きさに成形することもできる。
【００１６】
包装容器は、底プレート１の上に、複数列にミョウガＭを平行に並べて収納する。四角形の底プレート１は、ミョウガＭの長さ方向の寸法、すなわち縦方向の寸法をミョウガＭの全長にほぼ等しく、あるいはこれよりも多少長くしている。底プレート１の横方向の寸法は、ミョウガＭを３列に並べて収納する包装容器にあっては、ミョウガＭの最大外径の３倍にほぼ等しく、ミョウガＭを４列に並べて収納する包装容器にあっては、ミョウガＭの最大外径の４倍にほぼ等しくする。すなわち、隣のミョウガＭが最大外形部を互いに接触させる状態で、平行に並べて収納される形状としている。
【００１７】
外周壁２は、収納するミョウガＭの端部に配置される端部外周壁２１と、ミョウガＭの側部に配置される両側外周壁２２とからなり、端部外周壁２１と両側外周壁２２を両端部で直角に連結している。外周壁２の高さは、収納するミョウガＭの最大外径にほぼ等しく、あるいはこれよりもわずかに小さく、あるいはわずかに大きく、たとえば１．５ｃｍ〜３ｃｍとしている。外周壁２は、ミョウガＭをスムーズに収納できるように、上縁の開口面積が底プレート１よりも大きくなるように、垂直姿勢からわずかに傾斜するテーパー状に成形している。さらに、図２及び図３の断面図に示すように、外周壁２は、開口縁部を外側に湾曲する形状として、上方開口部を湾曲面としている。この包装容器は、図２〜図４の断面図に示すように、ミョウガＭを収納する状態で開口部をラップフィルム５で被覆して、ラップフィルム５を湾曲面に密着できる。
【００１８】
底プレート１は、上方に突出する複数の位置決め凸部３を設けている。位置決め凸部３は、真空成形して包装容器を成形する工程で設けられる。位置決め凸部３は、底プレート１の上に互いに平行な姿勢で複数列に並べて収納されるミョウガＭの間に設けられる。さらに、位置決め凸部３は、ミョウガ両端部の先細り状部分の横に配置される。この位置決め凸部３は、ミョウガＭの端部が先細り状となることでミョウガＭの間にできるテーパー状隙間６に配置されて、ミョウガＭを直線状として平行に並べて外周壁２の内側に収納する。先端部を先細りテーパー状とするミョウガＭが平行に並べられると、隣のミョウガＭとの間にテーパー状隙間６ができる。このテーパー状隙間６に位置決め凸部３を配置し、位置決め凸部３でミョウガＭを平行な姿勢で定位置に収納する。図１の包装容器は、ミョウガＭを３列に収納するので、中央のミョウガＭの両端部の両側に４個の位置決め凸部３を設けているが、４個のミョウガを４列に収納する包装容器は、中央２列のミョウガの両端部でその両側に６個の位置決め凸部を設ける。
【００１９】
図２〜図４に示す包装容器は、底プレート１の一部を山形に突出させて位置決め凸部３を設けている。この包装容器は、図４の断面図に示すように、端部外周壁２１から内側に離れた位置に山形に突出する位置決め凸部３を設けて、山形の位置決め凸部３と端部外周壁２１との間に谷部を設けている。位置決め凸部３は、断面図に示すように、上端に向かって細くなる山形であって上端部を湾曲面としている。位置決め凸部３は、平行に収納されるミョウガＭの間に設けられてミョウガＭを直線状として定位置に収納する。したがって、位置決め凸部３は平行に並べて収納されるミョウガＭの表面に接触して、ミョウガＭを直線状とする横幅としている。直線状のミョウガＭはそのままの形で、多少曲がったミョウガＭは位置決め凸部３で直線状に修正して定位置に収納される。さらに、図１の位置決め凸部３は、その平面形状を、ミョウガＭの長手方向に細長い楕円形としている。楕円形の位置決め凸部３は、円形の位置決め凸部３よりもミョウガＭとの接触面積を大きくできる。このため、ミョウガＭに接触する接触面の圧力を小さくして、すなわちミョウガＭの損傷を少なくして、ミョウガＭを直線状として収納できる。
【００２０】
以上の包装容器は、３列にミョウガＭを収納するので、各端部外周壁２１の内側に２個、全体で４個の位置決め凸部３を設けている。図の包装容器は、ミョウガＭを３列に収納するので、両側外周壁２２の内側に収納する両側２列のミョウガＭを、位置決め凸部３と両側外周壁２２との間に収納して、中央に収納するミョウガＭを位置決め凸部３の間に収納して、３列のミョウガＭを平行な姿勢で収納する。
【００２１】
図１の包装容器は、ミョウガＭを３列に収納するが、包装容器は、図示しないが、底プレート１の横幅を広くして、ミョウガＭを４列以上に並べて収納することもできる。
【産業上の利用可能性】
【００２２】
本発明の包装容器は、ミョウガＭを平行な姿勢に綺麗に並べて収納して運搬し、またこの状態で店舗に陳列して販売する。
【符号の説明】
【００２３】
１…底プレート
２…外周壁    ２１…端部外周壁    ２２…両側外周壁
３…位置決め凸部
４…凸条
５…ラップフィルム
６…テーパー状隙間
Ｍ…ミョウガ
【図１】
2015078011.tif 000003
【図２】
2015078011.tif 000004
【図３】
2015078011.tif 000005
【図４】
2015078011.tif 000006